(57)【要約】【課題】国ごとに異なる情報を効率的に設定することができる、携帯可能電子装置、ＩＣカード、および、ＩＣカードシステムを提供する。【解決手段】実施形態に係る携帯可能電子装置は、インターフェースと、第１の記憶手段と、検索手段と、第２の記憶手段と、送信手段とを有する。インターフェースは、外部装置と通信する。第１の記憶手段は、国を示す国情報に対応づけて国ごとに異なる特定の情報としての国別情報を記憶する。検索手段は、インターフェースにより外部装置から使用する国を示す国情報を受信した場合、受信した国情報に対応する国別情報を第１の記憶手段から検索する。第２の記憶手段は、検索手段により検索した当該国情報に対応する国別情報を外部装置へ提供可能な情報として記憶する。送信手段は、外部装置から国別情報の読出しが要求された場合、第２の記憶手段に記憶した国別情報をインターフェースにより外部装置へ送信する。【選択図】図１
2013152528.tif 000002
【特許請求の範囲】
【請求項１】
外部装置と通信するインターフェースと、
国を示す国情報に対応づけて国ごとに異なる特定の情報としての国別情報を記憶する第１の記憶手段と、
前記インターフェースにより外部装置から使用する国を示す国情報を受信した場合、受信した国情報に対応する国別情報を前記第１の記憶手段から検索する検索手段と、
前記検索手段により検索した当該国情報に対応する国別情報を外部装置へ提供可能な情報として記憶する第２の記憶手段と、
前記外部装置から前記国別情報の読出しが要求された場合、前記第２の記憶手段に記憶した国別情報を前記インターフェースにより前記外部装置へ送信する送信手段と、
を有することを特徴とするＩＣカード。
【請求項２】
前記国別情報は、緊急通報用の電話番号である、
ことを特徴とする前記請求項１に記載のＩＣカード。
【請求項３】
さらに、前記インターフェースにより外部装置から国情報と国別情報とを受信した場合、受信した国情報に対応する国別情報が前記第１の記憶手段に記憶されていれば、前記第１の記憶手段における当該国情報に対応する国別情報を更新し、受信した国情報に対応する国別情報が前記第１の記憶手段に記憶されていなければ、当該国情報に対応づけた国別情報を前記第１の記憶手段に追加登録する更新手段を有する、
ことを特徴とする前記請求項１又は２の何れかに記載のＩＣカード。
【請求項４】
外部装置と通信するインターフェースと、国を示す国情報に対応づけて国ごとに異なる特定の情報としての国別情報を記憶する第１の記憶手段と、前記インターフェースにより外部装置から使用する国を示す国情報を受信した場合、受信した国情報に対応する国別情報を前記第１の記憶手段から検索する検索手段と、前記検索手段により検索した当該国情報に対応する国別情報を外部装置へ提供可能な情報として記憶する第２の記憶手段と、前記外部装置から前記国別情報の読出しが要求された場合、前記第２の記憶手段に記憶した国別情報を前記インターフェースにより前記外部装置へ送信する送信手段と、を有するモジュールと、
前記モジュールを具備する本体と、
を有することを特徴とするＩＣカード。
【請求項５】
ＩＣカードと前記ＩＣカードを装着した状態で外部との通信が可能な端末装置とからなるＩＣカードシステムであって、
前記端末装置は、
外部と通信するための通信部と、
前記ＩＣカードと通信するためのインターフェースと、
前記通信部によって外部との通信を行う国を示す国情報を前記インターフェースにより前記ＩＣカードへ送信する送信手段と、
前記通信部によって外部の特定の通信先と通信するための情報を前記ＩＣカードから取得する取得手段と、を有し、
前記ＩＣカードは、
前記端末装置と通信するインターフェースと、
前記端末装置が前記特定の通信先と通信するための情報を国情報に対応づけた国別情報として記憶する第１の記憶手段と、
前記インターフェースにより前記端末装置が外部との通信を行う国を示す国情報を受信した場合、受信した国情報に対応する国別情報を前記第１の記憶手段から検索する検索手段と、
前記検索手段により検索した当該国情報に対応する国別情報を前記端末装置へ提供可能な情報として記憶する第２の記憶手段と、
前記外部装置から前記国別情報の読出しが要求された場合、前記第２の記憶手段に記憶した国別情報を前記インターフェースにより前記端末装置へ送信する送信手段と、を有する、
ことを特徴とするＩＣカードシステム。
【請求項６】
外部装置と通信するインターフェースと、
国を示す国情報に対応づけて国ごとに異なる特定の情報としての国別情報を記憶する第１の記憶手段と、
前記インターフェースにより外部装置から使用する国を示す国情報を受信した場合、受信した国情報に対応する国別情報を前記第１の記憶手段から検索する検索手段と、
前記検索手段により検索した当該国情報に対応する国別情報を外部装置へ提供可能な情報として記憶する第２の記憶手段と、
前記外部装置から前記国別情報の読出しが要求された場合、前記第２の記憶手段に記憶した国別情報を前記インターフェースにより前記外部装置へ送信する送信手段と、
を有することを特徴とする携帯可能電子装置。
【発明の詳細な説明】
【技術分野】
【０００１】
この発明の実施形態は、携帯可能電子装置、ＩＣカード、および、ＩＣカードシステムに関する。
【背景技術】
【０００２】
ＩＣカードは、端末装置からの要求に応じてデータを出力する。たとえば、携帯電話機などの端末装置に装着されるＩＣカードは、当該端末装置で利用可能な情報を保持しておき、端末装置からの要求に応じて提示する機能を有する。たとえば、国ごとに定められている情報は、ＩＣカードから携帯電話機に提供する仕様とする運用形態もある。
【先行技術文献】
【非特許文献】
【０００３】
【非特許文献１】ＥＴＳＩ  ＴＳ１０２６１３
【発明の概要】
【発明が解決しようとする課題】
【０００４】
この発明の一形態は、国ごとに異なる情報を効率的に設定することができる、携帯可能電子装置、ＩＣカード、および、ＩＣカードシステムを提供することを目的とする。
【課題を解決するための手段】
【０００５】
この実施の形態によれば、携帯可能電子装置は、インターフェースと、第１の記憶手段と、検索手段と、第２の記憶手段と、送信手段とを有する。インターフェースは、外部装置と通信する。第１の記憶手段は、国を示す国情報に対応づけて国ごとに異なる特定の情報としての国別情報を記憶する。検索手段は、インターフェースにより外部装置から使用する国を示す国情報を受信した場合、受信した国情報に対応する国別情報を第１の記憶手段から検索する。第２の記憶手段は、検索手段により検索した当該国情報に対応する国別情報を外部装置へ提供可能な情報として記憶する。送信手段は、外部装置から国別情報の読出しが要求された場合、第２の記憶手段に記憶した国別情報をインターフェースにより外部装置へ送信する。
【図面の簡単な説明】
【０００６】
【図１】図１は、ＩＣカードおよびＩＣカードシステムの構成例を示すブロック図である。
【図２】図２は、端末装置の一例としての携帯電話機の構成例を示すブロック図である。
【図３】図３は、各国の緊急通報電話番号を示すレコードファイル（参照ファイル）の構成例を示す図である。
【図４】図４は、携帯電話機の使用国に応じて緊急通報用の電話番号を設定した定義ファイルの例を示す図である。
【図５】図５は、携帯電話システムにおける緊急通報の設定処理の流れを説明するためのシーケンス図である。
【図６】図６は、ＩＣカードにおける緊急通報の設定処理の処理手順を説明するためのフローチャートである。
【図７】図７は、携帯電話システムにおける緊急通報の設定処理の変形例の流れを説明するためのシーケンス図である。
【図８】図８は、ＩＣカードにおける緊急通報の設定処理の変形例の処理手順を説明するためのフローチャートである。
【図９】図９は、携帯電話システムにおける緊急通報の読出処理の流れを説明するためのシーケンス図である。
【図１０】図１０は、ＩＣカードにおける緊急通報の読出処理の処理手順を説明するためのフローチャートである。
【発明を実施するための形態】
【０００７】
以下、実施の形態について図面を参照して詳細に説明する。  
図１は、携帯可能電子装置としてのＩＣカード１と端末装置としての携帯電話機（携帯端末装置）２とを有するＩＣカードシステム（携帯端末システム）の構成例を示すブロック図である。  
図１に示すＩＣカードシステムは、ＩＣカード１と携帯電話機２とが双方向にデータの送受信を行う通信システムである。ＩＣカードシステムは、携帯電話機２にＩＣカード１が通信可能な状態で装着された状態で運用され、携帯電話機２は、ＩＣカード１が装着された状態で外部との通信を行う。また、ＩＣカード１と携帯電話機２とは、所定の規格で規定された通信方式により通信を行う。たとえば、ＩＣカード１と携帯電話機２とは、ＳＷＰ通信などの全２重通信により通信を行う。
【０００８】
ＩＣカード１は、携帯電話機２からの電源供給により動作する。たとえば、上記ＩＣカード１は、上記携帯電話機２と物理的、電気的に接触して通信を行う接触式の携帯可能電子装置（接触式ＩＣカード）である。ただし、上記ＩＣカード１は、アンテナあるいは無線通信部等により上記携帯電話機２と非接触の状態で無線通信を行う非接触式の携帯可能電子装置（非接触式ＩＣカード）であっても良い。さらには、上記ＩＣカード１は、非接触式ＩＣカードとしての通信機能と接触式ＩＣカードとしての通信機能とを有する複合型のＩＣカード（デュアルインターフェースＩＣカード）であっても良い。
【０００９】
図１に示すように、上記ＩＣカード１は、制御部（ＣＰＵ）１１、プログラムメモリ１２、ワーキングメモリ１３、データメモリ１４、通信制御部１５、電源部１６、および、インターフェース１７などを有する。  
上記ＩＣカード１は、カード状の本体Ｃにより構成される。上記ＩＣカード１を形成するカード状の本体Ｃには、１つあるいは複数のＩＣチップ１ａとインターフェース１７とが内蔵される。上記ＩＣチップ１ａは、制御部（ＣＰＵ）１１、プログラムメモリ１２、ワーキングメモリ１３、データメモリ１４、通信制御部１５および電源部１６などを有している。ＩＣチップ１ａとインターフェース１７とは接続された状態でモジュール化される。ＩＣチップ１ａとインターフェース１７とを有するモジュールＭは、当該ＩＣカード１を形成するカード状の本体Ｃ内に埋設される。
【００１０】
上記制御部１１は、ＩＣカード１全体の制御を司る。上記制御部１１は、ＣＰＵなどのプロセッサを有する。上記制御部１１は、上記プログラムメモリ１２あるいはデータメモリ１４に記憶されている制御プログラムおよび制御データなどに基づいて動作する。たとえば、上記制御部１１は、上記プログラムメモリ１２に記憶されている制御プログラムを実行することにより、携帯電話機２との通信制御を行ったり、携帯電話機２から与えられるコマンドに応じた処理を行ったりする。
【００１１】
上記プログラムメモリ１２は、読み出し専用のメモリ（ＲＯＭ：リードオンリーメモリ）により構成される。上記プログラムメモリ１２は、当該ＩＣカード１の仕様に応じた動作を司る制御プログラムおよび制御データなどを記憶する。  
上記ワーキングメモリ１３は、揮発性のメモリ（ＲＡＭ；ランダムアクセスメモリ）により構成される。上記ワーキングメモリ１３は、データを一時保管するバッファメモリとして機能する。例えば、上記ワーキングメモリ１３には、携帯電話機２との通信処理において、送受信されるデータを一時的に保管する通信バッファとして利用可能である。また、上記ワーキングメモリ１３は、種々の書込みデータなどを一時的に保持するメモリとしても利用される。
【００１２】
上記データメモリ（不揮発性メモリ）１４は、データの書き込みが可能な不揮発性のメモリである。上記データメモリ１４は、例えば、ＥＥＰＲＯＭあるいはフラッシュメモリなどにより構成される。上記データメモリ１４には、当該ＩＣカード１の使用目的に応じた種々の情報（アプリケーションプログラムおよび運用データなど）が書込まれる。たとえば、また、データメモリ１４は、使用する国ごとに設定されるべき特定の種類の情報（国別情報）を各国情報に対応づけて記憶する国別情報のレコードファイル（参照ファイル）１４ｂを記憶するファイル領域を有する。また、データメモリ１４は、実際に使用可能とする国別情報（要求に応じて携帯電話機２へ提示する情報）を格納する定義ファイル１４ａを記憶する専用メモリ領域を有する。なお、定義ファイル１４ａは、ワーキングメモリ１３に記憶するようにしても良い。
【００１３】
上記通信制御部１５は、上記インターフェース１７を介して携帯電話機２とのデータ通信を制御するものである。当該ＩＣカード１が接触式ＩＣカードである場合、通信制御部１５は、携帯電話機２と物理的・電気的に接触するコンタクト部としてのインターフェース１７を介してデータを送受信する。なお、非接触型のＩＣカードであれば、上記通信制御部１５は、インターフェース１７としてのアンテナにより送受信するデータを変調あるいは復調する。
【００１４】
上記電源部１６は、当該ＩＣカード１の各部を動作させるための電力およびクロックパルスを供給する。たとえば、当該ＩＣカード１が接触型のＩＣカードである場合、上記電源部１６は、インターフェース１７を介して外部装置から直接的に供給される電力およびクロックパルスを各部へ供給する。なお、当該ＩＣカードが非接触型のＩＣカードである場合、上記電源部１６は、上記インターフェース１７としてのアンテナにより受信した電波から電力およびクロックパルスを生成し、当該ＩＣカード内の各部に供給する。
【００１５】
次に、携帯電話機２の構成について説明する。  
上記携帯電話機２は、ＩＣカード１を動作させるための電源を供給するとともに、当該ＩＣカード１とのデータ通信を行う。本実施の形態では、端末装置が携帯電話機２である場合を想定して説明する。ただし、端末装置は、携帯電話機２に限定されるものではなく、ＩＣカード１を装着した状態（通信可能な状態）で動作し、ＩＣカード１から取得する情報を用いて動作する機能を有する電子装置であれば良い。たとえば、端末装置としては、ＩＣカード１から取得した情報により動作する機能を有するタブレットＰＣ或いはノートパソコンなどの小型のコンピュータであっても良い。
【００１６】
携帯電話機２は、各ユーザが所持するＩＣカード１（例えば、ユーザ情報をセキュアに記録したＩＣカード）を装着した状態で携帯電話機としての通信が利用可能となる運用形態が想定される。また、ＩＣカード１は、携帯電話機２に設けられたＩＣカード用のソケットに装着される。ＩＣカード１と携帯電話機２とは、ＩＣカード１が携帯電話機２のＩＣカード用のソケットに装着された状態で、携帯電話機のインターフェースとしてのコンタクト部とＩＣカード１のインターフェースとが接触してデータ通信が可能となる。上記携帯電話機２は、ＩＣカード１に物理的に接触しているコンタクト部を介して当該ＩＣカード１に動作用の電力およびクロックパルスを供給する。
【００１７】
たとえば、携帯電話機２は、起動する場合、装着されたＩＣカード１との相互認証を行う。ＩＣカード１との相互認証が成功した場合、携帯電話機２は、ＩＣカード１から取得する情報などを用いて上位のシステム（例えば、携帯電話の通信システム）との相互認証を行う。上位のシステムとの相互認証が成功すると、携帯電話機２は、ＩＣカード１に記録されているユーザ情報で特定されるユーザの携帯電話機として利用可能となる。
【００１８】
図２は、携帯端末装置の一例としての携帯電話機２の構成例を示すブロック図である。  
図２に示す構成例では、携帯電話機２は、制御部３１、ＲＡＭ３２、ＲＯＭ３３、不揮発性メモリ３４、ＩＣカード用のインターフェース（ＩＣカードインターフェース）３５、アンテナ３７、通信部３８、音声部３９、振動部４０、表示部４１、操作部４２および電源部４３などを有する。
【００１９】
上記制御部３１は、携帯電話機２全体の制御を司るものである。上記制御部３１は、ＣＰＵ、内部メモリ、各種のインターフェースなどを有する。また、上記制御部３１は、上記表示部４１の表示を制御する表示制御機能、ＰＬＬ（Phase Locked Loop）回路、データストリーム経路切換え、ＤＭＡ（Direct Memory Access）コントローラ、割り込みコントローラ、タイマ、ＵＡＲＴ（Universal Asynchronous Receiver Transmitter）、秘匿、ＨＤＬＣ（High-level Data Link Control procedure）フレーミング、ディバイスコントローラなどの機能を有する。
【００２０】
上記ＲＡＭ３２は、作業用のデータを記憶するための揮発性メモリである。ＲＡＭ３２は、ＩＣカード１との通信設定情報として、通信確立処理において設定する設定データを記憶する。たとえば、ＲＡＭ３２は、ＩＣカード１との通信に適用するウインドウサイズの設定値などの通信設定値を記憶する。また、ＲＡＭ３２は、端末装置２がＩＣカード１に対して指定したデータの再送回数およびデータの再送間隔などの情報を記憶しても良い。上記ＲＯＭ３３は、制御プログラムおよび制御データなどが記憶されている不揮発性メモリである。上記制御部３１は、上記ＲＯＭ３３に記憶されている制御プログラムを実行することにより、当該携帯電話機２の制御を実現している。
【００２１】
上記不揮発性メモリ３４は、種々のデータが記憶される書き換え可能な不揮発性メモリである。上記不揮発性メモリ３４には、種々のアプリケーションプログラム（アプリケーション）、制御データ、および、ユーザデータなどが記憶される。上記制御部３１は、上記不揮発性メモリ３４に記憶されているアプリケーションプログラムを実行することにより、種々の機能を実現する。
【００２２】
上記ＩＣカードインターフェース３５は、ＩＣカード１が装着されるインターフェースである。上記ＩＣカードインターフェース３５は、上記制御部３１に接続されている。これにより、上記制御部３１は、上記ＩＣカードインターフェース３５を介して上記ＩＣカード１とのデータ通信が可能となっている。
【００２３】
上記通信部３８は、通信用のアンテナ３７を介して通話データあるいはデータ通信用のデータを電波で送受信する。上記音声部３９は、音声の入出力を行う。上記振動部４０は、当該携帯電話機２全体を振動させる振動機構により構成される。上記表示部４１は、上記制御部３１により表示の表示内容などが制御される。上記操作部４２は、キーボードなどにより構成され、ユーザによる操作指示が入力される。上記電源部４３は、バッテリーなどにより構成され、当該携帯電話機２内の各部に電源を供給する。また、上記電源部４３は、上記ＩＣカードインターフェース３５を介して接続されたＩＣカード１にも電源を供給する機能も有している。
【００２４】
次に、ＩＣカード１が携帯電話機２へ提示する国別情報について説明する。  
携帯電話機２は、ＩＣカード１から電話番号などの様々な情報を取得する機能を有する。すなわち、ＩＣカード１は、内部メモリに保持している電話番号などの情報を携帯電話機２からの要求に応じて提示する。運用形態の一例としては、ＩＣカード１が緊急通報用の電話番号を携帯電話機２に提示するシステムがある。ここで、緊急通報用の電話番号は、国別情報の一例であり、国ごとに異なる情報である。なお、緊急通報用の電話番号としては、たとえば、警察、消防、救急などの電話番号を想定するものとする。このようなシステムの携帯電話機２は、当該携帯電話機内で緊急通報用の電話番号を予め設定しておかなくても、ＩＣカード１から緊急通報用の電話番号を適宜取得できる。
【００２５】
たとえば、欧州などを主体に展開されている携帯電話システムの仕様には、携帯電話機２に装着するＩＣカード１に、緊急通報用の電話番号を記録するためのファイルとして、緊急通報用の電話番号を定義するレコードファイル（定義ファイル）を設定しておくものがある。たとえば、当該緊急通報用の電話番号を定義する定義ファイルは、ＩＣカード１内のメモリにおける所定のデータ領域に、緊急通報用の電話番号の一覧をバイト列として並べて格納するようになっている。
【００２６】
このような仕様のシステムでは、ＩＣカード１は、携帯電話機２に提示する緊急通報用の電話番号を格納した定義ファイルを所定のデータ領域に定義しておく。この状態において、ＩＣカード１は、携帯電話機２からの要求に応じて緊急通報用の電話番号を読み出し、当該携帯電話機２へ提供する。携帯電話機２は、ＩＣカード１から緊急通報用の電話番号を取得し、緊急通報用の電話番号をユーザに提示する。これにより、携帯電話機２のユーザは、迅速に緊急通報先に電話をかけることができるようになっている。
【００２７】
ＩＣカード１に定義される緊急通報用の電話番号は、たとえば、警察、消防、救急などへ通報するための電話番号を想定している。これらの種類の緊急通報用の電話番号は、各国に存在している。しかしながら、実際の緊急通報用の電話番号自体は、国ごとに異なることが多い。従って、国別情報の一例としての緊急通報用の電話番号は、ＩＣカード１を装着した携帯電話機２を使用する国ごとに設定する必要がある。
【００２８】
以下に説明する本実施形態においては、ＩＣカード１が装着される携帯電話機２は、複数の国で使用できるものであることを想定し、かつ、ＩＣカード１は、国別情報の一例として、当該携帯電話機２の使用国に応じて設定する緊急通報用の電話番号を携帯電話機２に提供する運用形態を想定して説明するものとする。
【００２９】
図３は、複数の国における緊急通報用の電話番号を示す参照ファイル（レコードファイル）１４ｂの構成例である。  
図３に示すような参照ファイル１４ｂは、携帯電話機２を使用する国に応じた緊急通報用の電話番号を設定するために参照する情報を記憶するレコードファイルである。図３に示す例において、参照ファイル１４ｂは、国情報とコード情報と電話番号（緊急通報電話番号）とを対応づけた複数のレコードから構成される。国情報は、国を示す情報である。コード情報は、情報（電話番号）の種別を示す情報である。図３に示す例において、コード情報は、対応する電話番号（緊急通報電話番号）の用途（種別）を示している。図３に示す例では、緊急通報用の電話番号を想定しているため、図３に示すコード情報は、対応する電話番号が、警察へ通報するための電話番号か、消防署へ通報するための電話番号か、あるいは、救急車を手配するための電話番号かなどを示している。電話番号は、対応する国情報が示す国における緊急通報用の電話番号であり、対応するコード情報が示す種類の緊急通報を行うための番号となっている。
【００３０】
図４は、特定の国（携帯電話機２の使用国）に応じて緊急通報用の電話番号を設定した定義ファイル１４ａの例である。  
図４では、図３に示す参照ファイル１４ｂにおいて、国情報が「００００００」の国について緊急通報用の電話番号を設定した定義ファイル１４ａの例を示している。また、図４に示す定義ファイル１４ａの例では、緊急通報用の電話番号として、コード情報（情報の種別）が「０１」の緊急通報電話番号とコード情報（情報の種別）が「０２」の緊急通報電話番号とが設定されている。図４に示すような定義ファイル１４ａが設定されたＩＣカード１は、携帯電話機２から緊急通報用の電話番号が要求されると、コード情報（情報の種別）が「０１」の緊急通報電話番号としての「０１０１０１」とコード情報（情報の種別）が「０２」の緊急通報電話番号としての「０１１１０１」とを携帯電話機２へ出力する。
【００３１】
次に、ＩＣカード１が携帯電話機２に提示する緊急通報用の電話番号を設定する定義ファイル１４ａの設定処理（緊急通報の設定処理）について説明する。  
まず、ＩＣカードシステム（携帯電話システム）全体において、ＩＣカード１に緊急通報の設定処理を実行するための処理の流れについて説明する。  
図５は、ＩＣカードシステム全体における緊急通報の設定処理の流れを説明するためのフローチャートである。  
携帯電話機２は、携帯電話通信の通信網を構成する上位システムの基地局との通信により現在使用している国を示す国情報を取得する（ステップＳ２１）。たとえば、ＩＣカード１を装着した携帯電話機２を所持するユーザが他国に移動した場合を想定する。他国に移動したユーザが携帯電話機２の電源をオンすると、当該携帯電話機２の制御部３１は、当該携帯電話機２が当該国で使用可能となるような設定を含む起動処理を行う。起動処理において、携帯電話機２の制御部３１は、ＩＣカード１との相互認証、および、上位システムとの相互認証などを行う。このような起動処理において、携帯電話機２の制御部３１は、上位システムの基地局との通信により、基地局から現在の国を示す国情報を含む情報を取得する。
【００３２】
基地局から国情報を取得すると、携帯電話機２の制御部３１は、国情報を提示するコマンドをＩＣカード１へ供給する（ステップＳ２２）。国情報を提示するコマンドは、ＩＣカード１に対して当該国に応じた設定処理を直接的に要求するコマンドであっても良いし、当該国に応じた設定処理以外の処理を要求するコマンドに国情報を付加したものであっても良い。たとえば、携帯電話機２の制御部３１は、使用中の国を示す国情報を保持しておき、基地局から取得する国情報が使用中の国情報と一致しない場合に、ＩＣカード１へ国情報を提示するコマンドを供給するようにしても良い。
【００３３】
携帯電話機２から国情報を提示するコマンドを受信すると、ＩＣカード１のＣＰＵ１１は、受信したコマンドに含まれる国情報を抽出し、国情報に対応する緊急通報電話番号の設定処理を行う（ステップＳ２３）。ＩＣカード１のＣＰＵ１１は、緊急通報電話番号の設定処理として、ＩＣカード１内にメモリ（データメモリ１４又はワーキングメモリ１３）に、携帯電話機２側から提示された国情報に対応する緊急通報電話番号を格納する定義ファイル１４ａを設定する処理である。ＩＣカード１における緊急通報電話番号の設定処理については、後で詳細に説明する。
【００３４】
携帯電話機２から国情報を提示するコマンドを受信した場合、ＩＣカード１のＣＰＵ１１は、当該コマンドの処理を実行するとともに当該コマンドで提示される国情報に対応する緊急通報電話番号を定義ファイル１４ａに設定する緊急通報の設定処理を実行し、その処理結果を示すレスポンスを携帯電話機２へ送信する（ステップＳ２４）。ＩＣカード１からのレスポンスとして緊急通報電話番号が正常に設定された旨の通知を受けた場合、携帯電話機２の制御部３１は、ＩＣカード１による緊急通報電話番号の提供が可能になったものと判断する。また、ＩＣカード１から緊急通報電話番号が正常に設定できなかった旨の通知を受けた場合、携帯電話機２の制御部３１は、ＩＣカード１による緊急通報電話番号の提供が不可の状態であるものと判断する。
【００３５】
次に、ＩＣカード１における緊急通報の設定処理について説明する。  
図６は、ＩＣカード１における緊急通報の設定処理の手順を説明するためのフローチャートである。  
携帯電話機２から国情報を提示するコマンドを受信した場合、ＩＣカード１のＣＰＵ１１は、当該コマンドで提示された国情報で、国別情報としての各国の緊急通報電話番号を記憶した参照ファイル１４ｂ内を検索する（ステップＳ３１）。参照ファイル１４ｂを国情報で検索した結果に基づいて、ＣＰＵ１１は、当該コマンドで提示された国情報に対応する緊急通報電話番号が参照ファイル１４ｂに存在するか否かを判断する（ステップＳ３２）。コマンドで提示された国情報に対応する緊急通報電話番号が参照ファイル１４ｂに存在しない場合（ステップＳ３２、ＮＯ）、ＣＰＵ１１は、国情報に対応する緊急通報電話番号が存在しない（不明である）ため、緊急通報電話番号の設定が正常に行われていない旨のレスポンスを携帯電話機２へ送信する（ステップＳ３３）。
【００３６】
また、当該コマンドで提示された国情報に対応する緊急通報電話番号が参照ファイルに存在する場合（ステップＳ３２、ＹＥＳ）、ＣＰＵ１１は、国情報に対応する緊急通報用の電話番号情報（緊急通報電話番号とコード情報）を参照ファイル１４ｂから読み出し、読み出した緊急通報用の電話番号情報により定義ファイル１４ａを更新する（ステップＳ３３）。これにより、ＩＣカード１内において、緊急通報用の電話番号の定義ファイル１４ａには、携帯電話機２から提示された国情報に対応する緊急通報電話番号が格納される。定義ファイル１４ａを提示された国情報に対応する緊急通報電話番号に更新すると、ＣＰＵ１１は、緊急通報電話番号の設定が正常に行われた旨のレスポンスを携帯電話機２へ送信する（ステップＳ３４）。
【００３７】
以上の処理では、ＩＣカードは、携帯電話機が国情報を提示するコマンドを受信するごとに、各国の緊急通報用の電話番号情報を記憶した参照ファイルを参照して、携帯電話機から提示された国情報に対応する緊急通報電話番号を所定の定義ファイルに設定するようにしている。これにより、携帯電話機を所持しているユーザが他国に移動した場合であっても、ＩＣカードは現在の国における緊急通報電話番号を適宜設定でき、携帯電話機はＩＣカードから現在の国における緊急通報電話番号を適宜取得できる。
【００３８】
次に、上述した緊急通報の設定処理の変形例について説明する。  
図７は、携帯電話システムにおける緊急通報の設定処理の変形例の流れを説明するためのフローチャートである。  
本変形例では、携帯電話機２が上位システムの基地局から国情報だけでなく、当該国（当該基地局が存在する国）における緊急通報用の電話番号情報（緊急通報電話番号とコード情報）も取得する運用形態を想定するものである。
【００３９】
たとえば、他国に移動したユーザが携帯電話機２の電源をオンすると、当該携帯電話機２の制御部３１は、当該国で使用可能となるような設定処理を含む起動処理を行う。このようなＩＣカード１を装着した携帯電話機２を所持するユーザが他国に移動した場合の起動処理において、当該携帯電話機２は、当該国における上位システムの基地局から現在の国を示す国情報と当該国における緊急通報用の電話番号情報（緊急通報電話番号とコード情報とを対応づけた情報のリスト）とを取得する（ステップＳ４１）。
【００４０】
基地局から国情報と緊急通報用の電話番号情報とを取得すると、携帯電話機２の制御部３１は、国情報と緊急通報用の電話番号情報とを提示するコマンドをＩＣカード１へ供給する（ステップＳ４２）。国情報と緊急通報用の電話番号情報とを提示するコマンドは、ＩＣカード１に対して当該国に応じた設定処理を直接的に要求するコマンドであっても良いし、各国の緊急通報用の電話番号情報を記憶した参照ファイル１４ｂにおける当該国のレコードのアップデートを要求するコマンド（レコードアップデートコマンド）であっても良い。
【００４１】
携帯電話機２から国情報と緊急通報用の電話番号情報とを提示するコマンドを受信すると、ＩＣカード１のＣＰＵ１１は、受信したコマンドで提示された国情報に対応する緊急通報電話番号を設定する緊急通報の設定処理を行う（ステップＳ４３）。本変形例では、ＩＣカード１のＣＰＵ１１は、緊急通報の設定処理として、携帯電話機２側から提示された国情報に対応する緊急通報電話番号の定義ファイル１４ａを設定するだけでなく、各国の緊急通報電話番号を記憶する参照ファイル１４ｂも更新する。このようなＩＣカード１における緊急通報の設定処理については、後で詳細に説明する。
【００４２】
携帯電話機２から国情報と緊急通報用の電話番号情報とを提示するコマンドを受信した場合、ＩＣカード１のＣＰＵ１１は、当該コマンドに応じて緊急通報の設定処理を実行し、その処理結果を示すレスポンスを携帯電話機２へ送信する（ステップＳ４４）。ＩＣカード１からのレスポンスとして緊急通報電話番号が正常に設定された旨（緊急通報の設定処理が正常終了した旨）の通知を受けた場合、携帯電話機２の制御部３１は、ＩＣカード１による緊急通報電話番号の提供が可能になったものと判断する。また、ＩＣカード１から緊急通報電話番号が正常に設定できなかった旨（緊急通報の設定処理が正常終了できなかった旨）の通知を受けた場合、携帯電話機２の制御部３１は、ＩＣカード１による緊急通報電話番号の提供が不可の状態であるものと判断する。
【００４３】
次に、ＩＣカード１における緊急通報の設定処理の変形例について説明する。  
図８は、ＩＣカード１における緊急通報の設定処理の変形例における処理手順を説明するためのフローチャートである。  
携帯電話機２から国情報と緊急通報用の電話番号情報とを提示するコマンド（例えば、レコードアップデートコマンド）を受信した場合、ＩＣカード１のＣＰＵ１１は、国別情報としての各国の緊急通報電話番号を記憶した参照ファイル１４ｂ内の情報を当該コマンドで提示された国情報で検索する（ステップＳ５１）。この国情報により検索結果に基づいて、ＣＰＵ１１は、当該コマンドで提示された国情報に対応する緊急通報電話番号が参照ファイル１４ｂに既に存在しているか否かを判断する（ステップＳ５２）。当該コマンドで提示された国情報に対応する緊急通報電話番号が参照ファイル１４ｂに存在しない場合（ステップＳ５２、ＮＯ）、ＣＰＵ１１は、当該国情報に対応づけて当該緊急通報用の電話番号情報を参照ファイル１４ｂに追加登録する（ステップＳ５３）。すなわち、携帯電話機２からコマンドで提示された国情報に対応する緊急通報電話番号が参照ファイル１４ｂに登録されていなければ、ＣＰＵ１１は、コマンドで提示された国情報と緊急通報電話番号とコードとを対応づけたレコードを参照ファイル１４ｂに追加登録する。
【００４４】
また、当該コマンドで提示された国情報に対応する緊急通報電話番号が参照ファイルに存在する場合（ステップＳ５２、ＹＥＳ）、ＣＰＵ１１は、参照ファイル１４ｂに既に存在している当該国情報に対応する緊急通報電話番号を、受信したコマンドで提示された緊急通報用の電話番号情報により更新する（ステップＳ５４）。すなわち、携帯電話機２からコマンドで提示された国情報に対応する緊急通報電話番号が参照ファイル１４ｂに登録されていれば、ＣＰＵ１１は、参照ファイル１４ｂにおいて当該コマンドで提示された国情報に対応する緊急通報電話番号を、当該コマンドで提示された緊急通報用の電話番号情報によりアップデートする。
【００４５】
携帯電話機２からのコマンドによる参照ファイル１４ｂの更新が完了すると、ＣＰＵ１１は、当該参照ファイル１４ｂを参照して、当該コマンドで提示された国情報に対応する緊急通報電話番号により定義ファイル１４ａを更新する（ステップＳ５５）。これにより、ＩＣカード１内において、緊急通報電話番号を定義する定義ファイル１４ａには、携帯電話機２から提示された国情報と緊急通報電話番号とが格納される。定義ファイル１４ａを提示された国情報に対応する緊急通報電話番号に更新すると、ＣＰＵ１１は、緊急通報電話番号の設定が正常に行われた旨のレスポンスを携帯電話機２へ送信し（ステップＳ５６）、緊急通報の設定処理を終了する。
【００４６】
上記のような変形例では、携帯電話機は、基地局から国情報だけでなく当該国における緊急通報用の電話番号情報も取得する。携帯電話機に装着されたＩＣカードは、当該携帯電話機が基地局から国情報と緊急通報用の電話番号情報とを提示するコマンドを受信すると、コマンドで提示された国情報に対応する緊急通報用の電話番号情報によって国別の緊急通報電話番号を記憶する参照ファイルを更新するとともに、所定の定義ファイルに携帯電話機の現在の使用国における緊急通報電話番号を設定できる。この場合、予めＩＣカード内の参照ファイルに緊急通報電話番号が登録されていない国であっても、ＩＣカードは、当該国に応じた緊急通報電話番号を設定でき、携帯電話機は、ＩＣカードから現在の国における緊急通報電話番号を適宜取得できる。
【００４７】
次に、ＩＣカード１が携帯電話機２に対して緊急通報用の電話番号を提供する処理（緊急通報の読出処理）について説明する。  
まず、携帯電話システム（ＩＣカードシステム）において緊急通報の読出処理を実行するための処理の流れについて説明する。  
図９は、携帯電話システムにおける緊急通報の読出処理の流れを説明するためのフローチャートである。  
携帯電話機２から緊急通報を行いたい場合、ユーザは、携帯電話機２の操作部４２により緊急通報電話番号の参照を要求する指示を入力する。操作部４２により緊急通報電話番号の参照要求指示が入力されると（ステップＳ６１）、携帯電話機２の制御部３１は、ＩＣカード１に対して緊急通報電話番号の読出しを要求する読出しコマンドを作成し、作成した読出しコマンドをＩＣカード１へインターフェース３５を介して送信する（ステップＳ６２）。
【００４８】
携帯電話機２から読出しコマンドを受信した場合、ＩＣカード１のＣＰＵ１１は、受信した読出しコマンドを解釈することにより、当該コマンドが緊急通報電話番号の読出しを要求するものであることを判別し、緊急通報電話番号の読出処理を実行する（ステップＳ６３）。ＩＣカード１のＣＰＵ１１は、緊急通報電話番号の読出処理として、ＩＣカード１内にメモリ（データメモリ１４又はワーキングメモリ１３）に設定されている定義ファイルから緊急通報電話番号を読み出す。ＩＣカード１における緊急通報電話番号の読出処理については、後で詳細に説明する。
【００４９】
緊急通報電話番号の読出処理を実行すると、ＩＣカード１のＣＰＵ１１は、当該コマンドの処理結果を示すレスポンスとして、定義ファイルから読み出した緊急通報電話番号（各種の電話番号とコードとを対応づけた情報）と正常終了を示すステータス情報とをセットしたレスポンスデータを作成し、作成したレスポンスデータを携帯電話機２へ送信する（ステップＳ６４）。これにより、携帯電話機２は、インターフェース３５を介してＩＣカード１からレスポンスデータに含まれる緊急通報電話番号を受信する。
【００５０】
緊急通報電話番号を含むレスポンスを受信すると、携帯電話機２の制御部３１は、受信したレスポンスデータに含まれる緊急通報電話番号を抽出し、抽出した緊急通報電話番号を表示部４１に表示する（ステップＳ６５）。たとえば、携帯電話機２の制御部３１は、緊急通報用の電話番号の一覧として、コードが示す情報の種別（例えば、警察、消防、救急など）に対応づけた各電話番号を、ユーザが選択可能な状態で表示部４１に表示する。
【００５１】
このように緊急通報用の電話番号の一覧を表示した状態において、ユーザは、操作部４２により所望の緊急通報電話番号を指示する。ユーザから特定の緊急通報電話番号への発信の指示を受けた場合（ステップＳ６６）、携帯電話機２の制御部３１は、操作部４２により指示された緊急通報電話番号へ発信する（ステップＳ６７）。  
次に、ＩＣカード１における緊急通報の読出処理について説明する。  
図１０は、ＩＣカード１における緊急通報の読出処理の手順を説明するためのフローチャートである。  
携帯電話機２から緊急通報電話番号の読出しを要求するコマンドを受信した場合、ＩＣカード１のＣＰＵ１１は、当該コマンドで読出しが要求された緊急通報電話番号を格納している定義ファイル１４ａを特定し、特定した定義ファイル１４ａから緊急通報電話番号とコード情報とを読み出す（ステップＳ７１）。ここでは、上述した緊急通報の設定処理により、現在携帯電話機２を使用している国に応じた緊急通報電話番号が定義ファイル１４ａに設定されているものとする。
【００５２】
定義ファイル１４ａから緊急通報電話番号が正常に読み出せた場合（ステップＳ７２、ＹＥＳ）、ＣＰＵ１１は、読み出した緊急通報電話番号と各電話番号に対応するコード情報と緊急通報電話番号が正常に読み出せた（正常終了した）旨のステータスとをセットしたレスポンスデータを作成する（ステップＳ７３）。正常終了した旨のレスポンスデータを作成すると、ＣＰＵ１１は、作成したレスポンスデータを携帯電話機２へ送信し（ステップＳ７４）、緊急通報電話番号の読出処理を終了する。
【００５３】
また、定義ファイル１４ａから緊急通報電話番号が正常に読み出せなかった場合（ステップＳ７２、ＮＯ）、ＣＰＵ１１は、緊急通報電話番号が正常に読み出せなかった（読出し処理がエラーとなった）旨のステータスをセットしたレスポンスデータを作成する（ステップＳ７３）。エラーとなった旨のレスポンスデータを作成すると、ＣＰＵ１１は、作成したレスポンスデータを携帯電話機２へ送信し（ステップＳ７５）、緊急通報電話番号の読出処理を終了する。
【００５４】
以上の処理によれば、上述した緊急通報の設定処理によって携帯電話機の現在の使用国に応じた緊急通報用の電話番号情報がＩＣカードの定義ファイルに設定されていれば、ユーザは、携帯電話機に現在の国における緊急通報電話番号を直接入力しなくても、現在携帯電話機を使用している国における緊急通報電話番号を正確に指定することができ、所望の緊急通報を確実、迅速に行うことができる。
【００５５】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５６】
１…ＩＣカード（携帯可能電子装置）、Ｃ…本体、１ａ…ＩＣチップ、２…端末装置（携帯電話機、外部装置）、１１…ＣＰＵ、１２…プログラムメモリ、１３…ワーキングメモリ、１４…データメモリ、１４ａ…定義ファイル、１４ｂ…参照ファイル、１５…通信制御部、１６…電源部、１７…インターフェース、３１…制御部、３２…ＲＡＭ、３４…不揮発性メモリ、３５…インターフェース。
【図１】
2013152528.tif 000003
【図２】
2013152528.tif 000004
【図３】
2013152528.tif 000005
【図４】
2013152528.tif 000006
【図５】
2013152528.tif 000007
【図６】
2013152528.tif 000008
【図７】
2013152528.tif 000009
【図８】
2013152528.tif 000010
【図９】
2013152528.tif 000011
【図１０】
2013152528.tif 000012